(57)【要約】【課題】簡単な構成により、シャッター閉鎖時には水蒸気を発生させる家電製品の使用を防止するようにした家電収納キャビネットを提供する。【解決手段】家電収納キャビネット１０は、上下に並んでそれぞれ前面が開放した複数段の棚Ａ１〜Ａ３と、これらの棚のうち少なくとも二つの家電収納用の棚Ａ２，Ａ３内に備えられた給電用の電源コンセント１９ａ，１９ｂと、これらの棚の開放した前面を閉鎖し得るように上方へ退避可能に支持されたシャッター１６とを備え、さらに、電源コンセント１９ａ，１９ｂを備えた棚Ａ２，Ａ３にそれぞれ設けたシャッター検出手段２１と、シャッター検出手段２１がシャッター１６を検出したとき当該棚に備えられた電源コンセント１９ａ，１９ｂの給電を停止する制御手段と、を有する。【選択図】図１
2007325801.tif 000002
【特許請求の範囲】
【請求項１】
上下に並んでそれぞれ前面が開放した複数段の棚と、これらの棚のうち少なくとも二つの家電収納用の棚内にそれぞれ備えられた給電用の電源コンセントと、これらの棚の開放した前面を閉鎖し得るように上方へ退避可能に支持されたシャッターと、を含んでいる家電収納キャビネットであって、
上記電源コンセントを備えた棚にそれぞれ設けられたシャッター検出手段と、
このシャッター検出手段がシャッターを検出したとき、当該棚に備えられた電源コンセントの給電を停止する制御手段と、
を設けたことを特徴とする、家電収納キャビネット。
【請求項２】
前記シャッター検出手段は、当該棚がシャッターによりほぼ閉鎖された状態を検出することを特徴とする、請求項１に記載の家電収納キャビネット。
【請求項３】
前記制御手段がリセット操作されたとき、当該電源コンセントの給電を再開することを特徴とする、請求項１又は２に記載の家電収納キャビネット。
【発明の詳細な説明】
【技術分野】
【０００１】
本発明は、システムキッチン等における家電収納キャビネットに係り、特に使用時に水蒸気を発生するような家電製品を収納する家電収納棚を備えたシャッター付き家電収納キャビネットに関する。
【背景技術】
【０００２】
従来の家電収納キャビネット１は、図９及び図１０に示すように、左右一対の側板２ａ，２ｂと、天板３，底板４及び背板５と、これら天板３と底板４との間で適当な間隔を有して配設された複数の棚板６と、から構成されており、互いに組み付けられることにより、前面が開放した複数段、図示の場合、四段の棚Ａを画成している。なお、図示の場合、底板４は、その下方に配置された台輪４ａにより僅かに浮き上がった状態に配置されている。
【０００３】
ここで、棚Ａのうち、最上段の棚Ａ１及び最下段の棚Ａ４は、例えば食器類や台所用品などを収納する通常の収納棚として構成されており、必要に応じて前面を閉鎖するための扉や引き戸などが備えられている。図示の実施形態では、最下段の棚Ａ４のみが扉Ａ４ａを備えている。
【０００４】
これに対して、中間の二段の棚Ａ２，Ａ３は、それぞれコーヒーメーカーや電子レンジの収納用、そして電気ポットや電気炊飯器を収納するための家電収納棚として構成されている。中間の棚のうち下から二段目の棚Ａ３には、電気ポットや電気炊飯器の使用時に発生する水蒸気を外部へ排出するように、送風装置７が後端に配置されている。
【０００５】
この送風装置７は、図１０に示すように、背板５に対して前側で平行に配置された遮蔽板７ａと、この遮蔽板７ａの裏側に配設された送風ファン７ｂと、この送風ファン７ｂを回転駆動するモータ（図示せず）と、から構成されている。遮蔽板７ａは上下端に全幅に亘って前方に開放した通気用の間隙を有しており、上記送風ファン７ｂはこの遮蔽板７ａの裏側に画成された空間の下方に配置されていて、送風ファン７ｂがモータにより回転駆動されると、送風ファン７ｂが上方に向かって空気を送出するとともに、棚Ａ３内から遮蔽板７ａの下方の間隙を介して空気を吸引し、遮蔽板７ａの上方の間隙を介して棚Ａ３内に、そして棚Ａ３から外部へ空気を送出するようになっている。
【０００６】
さらに、中間の二段の棚Ａ２，Ａ３には、それぞれ内部の後端面に、給電用の電源コンセント８ａ，８ｂが設けられている。これらの電源コンセント８ａ，８ｂは、外部の電源、例えば一般商用電源に接続されて常時給電されており、これらの電源コンセント８ａ，８ｂに、使用すべき電子レンジ，電気ポット，電気炊飯器等の家電製品の電源コードを接続することで、これらの家電製品がいつでも使用できるようになっている。
そして、特に棚Ａ３内の電源コンセント８ｂにて、家電製品の電源オンにより所定値以上の電流が流れたとき、これを検知して、送風装置７が作動するようになっている。
【０００７】
このように、家電収納キャビネット１においては、家電製品の使用時、特に水蒸気が発生するような電気ポット，コーヒーメーカー，電気炊飯器などの家電製品の使用時には、送風装置７を自動的に作動させることで、家電製品から発生する水蒸気を棚Ａ３から外部へ排出し、これにより棚Ａ３内における結露やカビの発生を防止するようにしている。
この種の家電収納キャビネットが特許文献１に開示されている。
【０００８】
しかしながら、このような家電収納キャビネット１においては、特に家電製品を収納するための棚Ａ２，Ａ３は前面が開放していることから、内部に収納している電子レンジ，電気ポット，電気炊飯器等の家電製品が露出し、雑然とした外観になってしまう。このため、例えば来客時等にあっては、棚Ａ２，Ａ３の前面もシャッターや扉などで覆って、内部を見えなくするようにしたいという要望がある。
【０００９】
ところが、棚Ａ２，Ａ３が閉じられた状態で、内部に収納された家電製品が使用されると、使用に伴って水蒸気が発生することになり、この水蒸気が当該棚Ａ３内に溜ってしまうので、内部で結露が発生したり、場合によってはカビが発生したりすることがある。
【００１０】
特許文献２には、家電収納用の前面が開放した棚をドア体により開閉可能に備えると共に、このドア体の閉鎖時における裏面側近傍に電源コンセントを設けたキャビネットが開示されている。この特許文献２によるキャビネットでは、ドア体の閉鎖時に、家電製品を使用できないようにするために、ドア体の閉鎖位置の裏面側近傍に電源コンセントを設けることにより、家電製品の電源コードを電源コンセントに挿入した状態ではドア体が閉鎖できないようにし、ドア体の閉鎖時に、家電製品を使用して棚内部に水蒸気が溜ってしまうことがないように図っている。さらに、このキャビネットではリミットスイッチが設けられていて、ドア体が開放されているときだけ、コンセントへの通電を行うこととしている。
【特許文献１】特開２００４−２７５２４６号公報
【特許文献２】特開平０９−０８４６４３号公報
【発明の開示】
【発明が解決しようとする課題】
【００１１】
しかしながら、特許文献２のキャビネットでは、家電収納用棚の家電製品への通電をドア体の閉鎖に対応して規制することで、ドア体の閉鎖時に家電製品を使用して棚内部に水蒸気が溜ってしまうのを防止しているが、このキャビネットでは通電の規制を行う家電収納用の棚は一段だけであり、家電収納用の棚を多段設けてそれらの各棚で家電製品の使用により水蒸気が溜ってしまうのを防止する工夫は講じられていない。そのため、収納用の棚を複数段設けたとしても水蒸気を発生させる家電製品の設置場所が限定されてしまうなど、使い勝手の点で十分とはいえない。
【００１２】
本発明は、以上の点に鑑み、簡単な構成により、複数の家電収納用の棚がシャッターで閉鎖されたときに、水蒸気を発生させる家電製品の使用が自動的に防止されるようにした家電収納キャビネットを提供することを目的としている。
【課題を解決するための手段】
【００１３】
上記目的を達成するために、本発明の家電収納キャビネットは、上下に並んでそれぞれ前面が開放した複数段の棚のうち少なくとも二つの家電収納用の棚内にそれぞれ備えられた給電用の電源コンセントと、これらの棚の開放した前面を閉鎖し得るように上方へ退避可能に支持されたシャッターとを具備するとともに、電源コンセントを備えた棚にそれぞれ設けられたシャッター検出手段と、このシャッター検出手段がシャッターを検出したとき当該棚に備えられた電源コンセントの給電を停止する制御手段と、を設けたことを特徴としている。
【００１４】
本発明の家電収納キャビネットにおいて、上記シャッター検出手段は、好ましくは、当該棚がシャッターによりほぼ閉鎖された状態を検出するよう構成される。
【００１５】
本発明の家電収納キャビネットにおいて、上記制御手段がリセット操作されたとき、当該電源コンセントの給電を再開するよう構成すればより好ましい。
【発明の効果】
【００１６】
上記構成によれば、電源コンセントを備えた複数の家電収納用の棚の開口部がシャッターにより閉じられると、シャッター検出手段が、当該シャッターを検出する。これにより、制御手段が当該棚に備えられた電源コンセントの給電を停止する。従って、当該棚に収納された家電製品の電源コードが当該棚に備えられた電源コンセントに接続され使用されていたとしても、当該棚がシャッターにより閉じられると、電源コンセントの給電が自動的に停止されるので、家電製品は使用できなくなる。
【００１７】
このようにして、複数の家電収納用の棚のうち、シャッターが閉じられた家電収納用の棚内に収納された家電製品の使用が制限されるので、シャッターが閉じた状態で、その棚内に収納された家電製品を誤って使用し続けて、水蒸気が内部に溜ってしまうようなことはない。
さらに、シャッターが閉じた棚内に収納された家電製品が、所謂タイマーセットにより所定時間後に作動開始するように設定されていたとしても、電源コンセントの給電が停止されていることにより、シャッターが閉じた状態で当該家電製品が作動開始するようなことはない。
【００１８】
シャッター検出手段が、当該棚がシャッターによりほぼ閉鎖された状態を検出する場合には、シャッターがほぼ閉鎖された状態、例えば当該棚内で発生した水蒸気が排出されない程度に閉鎖された状態をこのシャッター検出手段が検出することにより、電源コンセントの給電が停止されることになり、シャッターが閉鎖された状態での当該棚内での家電製品の使用が確実に排除されることができる。
【００１９】
制御手段がリセット操作されたときは、シャッターが閉じていても当該電源コンセントの給電を再開し、当該棚内での家電製品の使用を許す。これにより、水蒸気が発生しない家電製品のみを使用する場合等、シャッターが閉じた状態で家電製品を使用したいときには、使用者が意図的にリセット操作を行うことにより家電製品を使用することができ、利便性が向上する。
【００２０】
本発明によれば、複数の家電収納用の棚のうち、シャッターが閉じられた棚内に収納された家電製品の使用が確実に防止され得ることになり、シャッターが閉じた状態でのその棚内に収納された家電製品の誤使用により水蒸気が内部に溜ってしまう事態を防止することができる。
【発明を実施するための最良の形態】
【００２１】
以下、図面を参照して、背景技術と同一または対応する部材には同一符号を用いて、本発明を詳細に説明する。
図１及び図２は本発明による家電収納キャビネットの一実施形態の構成を示している。これらの図において、家電収納キャビネット１０は、例えばシステムキッチンに組み込まれて使用されるものであり、左右一対の側板１１ａ，１１ｂと、天板１２，底板１３及び背板１４と、複数の棚板１５と、から構成されており、互いに組み付けられることで、前面が開放した複数段、図示の場合、四段の棚Ａと、後述するシャッター収納部１６ｃと、を画成している。図示の場合、底板１３は、その下方に配置された台輪１３ａにより、僅かに浮き上がった状態に配置されている。
【００２２】
さらに、この家電収納キャビネット１０は、棚Ａのうち、上方の三つの棚Ａ１，Ａ２，Ａ３の開放した前面を閉鎖し得ると共に、上方へ退避可能なシャッター１６と、給電制御装置２０（図２参照）と、を備えている。また、最下段の棚Ａ４は、例えば食器類や台所用品などを収納する通常の収納棚として構成されており、図示の場合、前面を閉鎖するための扉１７を備えている。
【００２３】
これに対して、中間の二段の棚Ａ２，Ａ３は、それぞれコーヒーメーカー，オーブントースター、電子レンジ、電気ポット，電気炊飯器など、使用時に水蒸気を発生する家電製品を収納するための家電収納棚として構成されている。
そして、下から二段目の棚Ａ３の後端には、図２に示すように上述した特許文献１に記載の送風装置７が配置されている。
【００２４】
さらに、中間の二段の棚Ａ２，Ａ３には、それぞれ内部の後端面、即ち棚Ａ２では背板１４の前面、棚Ａ３では遮蔽板７ａの前面の所定位置に、それぞれ給電用の電源コンセント１９ａ，１９ｂが設けられている。なお、これらの電源コンセント１９ａ，１９ｂは、それぞれ側板１１ａまたは１１ｂの内面に設けられていてもよい。
【００２５】
これらの電源コンセント１９ａ，１９ｂは、後述する制御手段２０を介して、外部の電源、例えば一般商用電源に接続されて給電されるようになっており、これらの電源コンセント１９ａ，１９ｂに、棚Ａ２，Ａ３内に収納されるコーヒーメーカー、電子レンジ，電気ポット，電気炊飯器等の家電製品の電源コードを接続することでこれらの家電製品が使用される。
そして、特に棚Ａ３内の電源コンセント１９ｂにて、家電製品使用時に、家電使用センサ１９ｃ（後述の図５参照）がその使用状態を検知して、送風装置７が作動するようになっている。
【００２６】
ここで、家電使用センサ１９ｃは、例えば電流センサとして構成されており、家電製品の電源オンにより電源コンセント１９ｂに所定値以上の電流が流れたとき、これを検出する。なお、棚Ａ２内の電源コンセント１９ａにも、同様の家電使用センサ１９ｄが設けられている（後述の図５参照）。
【００２７】
シャッター１６は、棚Ａのうち、上方の三つの棚Ａ１，Ａ２，Ａ３の前面を閉鎖し得るように、上方に退避可能に構成されている。具体的には、シャッター１６は、横方向に細長く延びるシャッター部材１６ａが上下に多数連結されることにより構成されていると共に、下端１６ｂが比較的剛性のある部材から構成されている。
【００２８】
このシャッター１６は、その両側縁が側板１１ａ，１１ｂの内側の前縁付近に設けられたガイド溝１１ｃ，１１ｄ内に沿って上下方向に案内されると共に、棚Ａ１の上方に設けられたシャッター収納部１６ｃ内に渦巻状に折り畳んだ状態で収納される。
【００２９】
このようにして、シャッター１６は、使用者がシャッターの下端１６ｂを持って下方に移動させることにより、図３に示すように、各棚Ａ１，Ａ２，Ａ３の前面を閉鎖するようになっている。なお、シャッター１６は、好ましくは、容易に上方へ移動し得るように、図示しないバネ等により上方に向かって付勢されている。これにより、使用者がシャッター１６の下端１６ｂを持って上方へ移動させる際に、比較的小さな力で上方へ移動させることが可能である。
【００３０】
給電制御装置２０は、シャッター検出手段としてのシャッター検出センサ２１と、制御手段としての制御回路２２と、リセットボタン２３と、から構成されている。シャッター検出センサ２１は、図４に示すように、リミットスイッチとして構成されており、そのアクチュエータ２１ａが、ガイド溝１１ｃ，１１ｄに沿って下降するシャッター１６で押動されることによって、シャッター１６を検出する。
【００３１】
ここで、シャッター検出センサ２１は、シャッター１６を検出すべき棚Ａ２，Ａ３毎にそれぞれ設けられており、図示の場合、各棚Ａ２，Ａ３にてその下端付近に配置されている。これにより、シャッター検出センサ２１は、それぞれ棚Ａ２，Ａ３にて、その前面がシャッター１６によりほぼ閉じられた状態を検出することができる。
【００３２】
なお、シャッター検出センサ２１は、特に棚Ａ３に関しては、家電製品の使用によって内部で発生した水蒸気が送風装置７により外部に排出されない程度までシャッター１６が閉じられているとき、シャッター１６を検出するように構成するのが好ましい。このように構成することにより、不意の来客時等に止むを得ず家電製品を使用したままシャッター１６で隠したい場合には、家電製品の使用を中止することなく水蒸気の排出のための最低限の開口を残してシャッター１６で隠すことできる。このシャッター検出センサ２１が検出するシャッター１６の位置を調整する構成としては、棚Ａ３の下端から検出位置までの距離ｄを適宜に選定し、シャッター検出センサ２１の配設位置を設定すればよい。
【００３３】
また、制御回路２２は、家電収納キャビネット１０の適宜の位置、図示の場合には、底板１３の下側で台輪１３ａ内に配置されていて、図５に示すように、各シャッター検出センサ２１から入力される検出信号に基づいて、各電源コンセント１９ａ，１９ｂの給電を制御する。具体的には、この制御回路２２は、各棚Ａ２，Ａ３に備えられたシャッター検出センサ２１から検出信号が入力されたとき、家電製品使用時に、それぞれ独立的に当該棚Ａ２，Ａ３に設けられた電源コンセント１９ａ，１９ｂの給電を停止するようになっている。
【００３４】
リセットボタン２３は、家電収納キャビネット１０のシャッター１６の閉鎖時に露出するように、例えば図示の場合には、棚Ａ３及び棚Ａ４の間にて前面に設けられ、使用者により操作されたとき、所定時間の間だけリセット信号を制御回路２２に送出する。これにより、制御回路２２は、このリセットボタン２３が操作されたとき、給電が停止されている電源コンセント１９ａ又は１９ｂの給電を再開する。なお、このリセットボタン２３は、棚Ａ３及び棚Ａ４のそれぞれに対応する二つのリセットボタンを設ける構成としても良い。
【００３５】
本発明の実施形態による家電収納キャビネット１０は以上のように構成されており、シャッター１６は通常は開放されていて、各棚Ａ１，Ａ２，Ａ３は前面が開放して内部が見えるようになっている。そして、例えば棚Ａ２内にはコーヒーメーカーが収納され、また棚Ａ３内には電気ポット及び電気炊飯器が収納され、それぞれ電源コードが電源コンセント１９ａ，１９ｂに接続される。
【００３６】
この状態から、例えば電気炊飯器の電源がオンされると、制御回路２２を介して電源コンセント１９ｂから電気炊飯器に給電が行なわれ、電気炊飯器が動作する。
また、シャッター１６の下端１６ｂが下方へ移動されると、図３に示すように、シャッター１６が棚Ａ１〜Ａ３を閉鎖することになり、例えば不意の来客時等に、棚Ａ１〜Ａ３の雑然とした内部を隠蔽することができる。
【００３７】
さらに、家電収納キャビネット１０の給電制御装置２０は、図６のフローチャートに従って、以下のように動作する。
即ち、まず、ステップＳ１にて、棚Ａ２の家電製品使用の有無を判断する。当該棚Ａ２の電源コンセント１９ａの消費電流が所定値未満である場合には、制御回路２２は棚Ａ２にて家電製品不使用と判断し、ステップ１に戻る。これに対して、ステップＳ１にて当該棚Ａ２の電源コンセント１９ａの消費電流が所定値以上である場合には、制御回路２２は棚Ａ２にて家電製品使用中と判断し、ステップＳ２にて、棚Ａ２のシャッター検出センサ２１からの検出信号に基づいて棚Ａ２におけるシャッター１６の開閉をチェックする。
【００３８】
ステップＳ２にて、シャッター１６が閉鎖している場合には、ステップＳ５にて当該電源コンセント１９ａの給電を停止する。なお、ステップＳ２にて、シャッター１６が開放している場合には、制御回路２２は棚Ａ２，Ａ３にてシャッター開放と判断し、ステップＳ３にて、当該電源コンセント１９ａの給電が停止しているか否かをチェックして、給電が行われている場合にはそのままステップＳ１に戻る。給電が停止している場合にはさらにステップＳ４にて当該電源コンセント１９ａの給電を再開した後、ステップＳ１に戻る。
【００３９】
続いて、制御回路２２はステップＳ６にて家電使用センサ１９ｃからの検出信号に基づいて、当該棚Ａ３の電源コンセント１９ｂの消費電流をチェックする。ステップＳ６にて、当該棚Ａ３の電源コンセント１９ｂの消費電流が所定値未満である場合には、制御回路２２は棚Ａ３にて家電製品不使用と判断し、ステップＳ１に戻る。これに対して、ステップＳ６にて、当該棚Ａ３の電源コンセント１９ｂの消費電流が所定値以上である場合には、制御回路２２は棚Ａ３にて家電製品使用中と判断し、制御回路２２は、ステップＳ７にて、棚Ａ３のシャッター検出センサ２１からの検出信号に基づいて棚Ａ３におけるシャッター１６の開閉をチェックする。そして、ステップＳ７にてシャッター１６が閉鎖している場合には、制御回路２２はステップＳ１１にてリセットボタン２３からのリセット信号をチェックする。なお、ステップＳ７にてシャッター１６が開放している場合には、制御回路２２は棚Ａ３にてシャッター開放と判断し、ステップＳ８にて当該電源コンセント１９ｂの給電が停止しているか否かをチェックする。給電が行われている場合には、そのままステップＳ１に戻る。給電が停止している場合には、さらにステップＳ９にて当該電源コンセント１９ｂの給電を再開した後、ステップＳ１に戻る。
【００４０】
ステップＳ１１にてリセット信号が入力されている場合には、制御回路２２はステップＳ１０にて電源コンセント１９ｂの給電を再開して、ステップＳ１に戻る。これに対して、ステップＳ１１にてリセット信号が入力されていない場合には、ステップＳ１２にて、当該電源コンセント１９ａの給電を停止してステップＳ１に戻る。そして、制御回路２２は、上述したステップＳ１〜Ｓ１２の動作を繰返し行なう。
【００４１】
このようにして、シャッター１６が閉じている場合には、当該棚Ａ２，Ａ３内の電源コンセント１９ａ，１９ｂの給電が制御回路２２により停止されている。従って、シャッター閉鎖状態で、電気炊飯器等の使用時に水蒸気を発生する家電製品を使用することはできないので、シャッターで閉鎖された棚Ａ２，Ａ３内に家電製品の使用によって水蒸気が溜ったり、結露したり或いはカビが発生することが効果的に防止される。
【００４２】
また、家電製品の使用中にシャッター１６が閉じられた場合には、制御回路２２は、シャッター検出センサ２１からの検出信号に基づいてシャッター１６の閉鎖を検出し、電源コンセント１９ａ，１９ｂの給電を停止するので、シャッター閉鎖中の家電製品の使用が確実に阻止される。
【００４３】
これに対して、家電製品の使用中であっても、使用者がリセットボタン２３を操作することにより、意図的に電源コンセント１９ｂに対する給電を再開する場合には、シャッター閉鎖状態でも、電源コンセント１９ｂから家電製品に給電が行なわれることになり、例えば電気炊飯器や電気ポットの保温等を行なうことができる。
【００４４】
以上説明したが、本発明はその趣旨を逸脱しない範囲で様々な形態で実施することができる。例えば、上述した実施形態では、シャッター検出センサ２１として、リミットスイッチが使用されているが、シャッターを検出できるものであれば任意の他の形式のシャッター検出センサを使用することも可能である。一例としては、図７に示すように、シャッター１６のガイド溝１１ｃ（または１１ｄ）の外側（前側）に発光部２４ａ（または受光部）を、そして内側（後側）に受光部２４ｂ（または発光部）を配置した透過型フォトカプラ２４を設けて、発光部２４ａから受光部２４ｂに向かって照射される赤外光等がシャッター１６で遮断されることで、受光部２４ｂの受光光量の変化を検出して、シャッター１６を検出するよう構成してもよい。
【００４５】
あるいは、図８に示すように、シャッター１６のガイド溝１１ｃ（または１１ｄ）の内側（後側）に反射型フォトカプラ２５を設け、発光部２５ａから出射した赤外光等が、シャッター１６で反射されて受光部２５ｂに入射することで、受光部２５ｂの受光光量の変化を検出して、シャッター１６を検出してもよい。さらには、シャッター検出センサとして、例えば静電センサ等を利用することもできる。
【００４６】
また、上述した実施形態においては、家電使用センサ１９ｃ，１９ｄとして、電流センサが使用されているが、これに限らず、家電製品が使用される際に発生する熱や水蒸気を検出する温度センサ又は湿度センサを利用することも可能である。例えば、家電製品使用時には、家電製品の発熱による温度上昇を温度センサで検出し、あるいは家電製品の使用に伴って発生する水蒸気による湿度上昇を湿度センサで検出して、家電製品の使用状態を検出することができる。
【００４７】
さらに、上述した実施形態においては、棚Ａのうち、最下段の棚Ａ４は通常の扉付きの収納棚として構成されているが、これに限らず、システムキッチンで一般的に採用されている引出しを有する収納棚，扉無しの収納棚等の任意形式の収納棚として構成されていてもよい。また、上述した実施形態においては、棚Ａ２，Ａ３における家電製品の使用の有無を検出した後にシャッター１６の開閉を検出しているが、当該家電製品の使用の有無にかかわらずシャッター１６の閉鎖を検出した場合には、電源コンセント１９ａ，１９ｂへの給電を停止する構成としてもよい。
なお、上述した実施形態においては、棚Ａ３に関してリセットボタン２３によるリセット機能が備えられているが、このリセット機能は省略されてもよい。
【図面の簡単な説明】
【００４８】
【図１】本発明による家電収納キャビネットの一実施形態の構成を示す概略斜視図である。
【図２】図１に示す家電収納キャビネットの縦断面図である。
【図３】図１に示す家電収納キャビネットのシャッター閉鎖状態を示す概略斜視図である。
【図４】図１に示す家電収納キャビネットのシャッター検出手段を示す部分拡大図である。
【図５】図１に示す家電収納キャビネットの電気的構成を示すブロック図である。
【図６】図１に示す家電収納キャビネットの制御手段の動作を示すフローチャートである。
【図７】図１に示す家電収納キャビネットのシャッター検出手段の他の構成を示す部分拡大図である。
【図８】シャッター検出手段のさらに他の構成を示す部分拡大図である。
【図９】従来の家電収納キャビネットの一例の構成を示す概略斜視図である。
【図１０】図９の家電収納キャビネットの縦断面図である。
【符号の説明】
【００４９】
７      送風装置
１０    家電収納キャビネット
１１ａ，１１ｂ  側板
１２    天板
１３    底板
１４    背板
１５    棚板
１６    シャッター
１７    扉
１９ａ，１９ｂ  電源コンセント
１９ｃ，１９ｄ  家電使用センサ
２０    給電制御装置
２１    シャッター検出センサ
２２    制御回路
２３    リセットボタン
【図１】
2007325801.tif 000003
【図２】
2007325801.tif 000004
【図３】
2007325801.tif 000005
【図４】
2007325801.tif 000006
【図５】
2007325801.tif 000007
【図６】
2007325801.tif 000008
【図７】
2007325801.tif 000009
【図８】
2007325801.tif 000010
【図９】
2007325801.tif 000011
【図１０】
2007325801.tif 000012